(57)【特許請求の範囲】
【請求項１】
パチンコ遊技機の組立または解体に用いる治具であって、
パチンコ遊技機が固定される内フレームと、
該内フレームを回転可能に軸支する外フレームと、
前記内フレームを、前記外フレームに対して定まる２以上の回転位置で固定可能な固定機構と
を備えたパチンコ遊技機用治具。
【請求項２】
請求項１に記載のパチンコ遊技機用治具であって、
前記内フレームは、
その一辺に、前記パチンコ遊技機の枠体の対応する一辺が係合される係合部を備えると共に、
該一辺とは反対側の一辺に、前記パチンコ遊技機の枠体の対応する一辺を載置する載置部材と、該載置部材との間に、該パチンコ遊技機の該一辺を挟み込んで固定するクランプ機構とを備えた
パチンコ遊技機用治具。
【請求項３】
請求項１に記載のパチンコ遊技機用治具であって、
前記内フレームは、前記パチンコ遊技機を固定したまま、少なくとも１８０度、前記外フレームに対して回転可能であるパチンコ遊技機用治具。
【請求項４】
前記内フレームには、該内フレームを回転させるための把手を備えた請求項１に記載のパチンコ遊技機用治具。
【請求項５】
請求項１に記載のパチンコ遊技機用治具であって、
電動機と、該電動機の回転を伝達する伝達機構と、該伝達機構を介して伝達される動力により前記内フレームを所望の位置まで回転する回転機構と
を備えたパチンコ遊技機用治具。
【請求項６】
前記内フレームおよび外フレームはアルミニウム製である請求項１に記載のパチンコ遊技機用治具。
【請求項７】
パチンコ遊技機用台車であって、
前記請求項１ないし請求項６のいずれかに記載のパチンコ遊技機用治具と、
該パチンコ遊技機用治具を載置する車輪付きの載置台と
を備えたパチンコ遊技機用台車。
【請求項８】
前記車輪を回転駆動する電動機を備えた請求項７記載のパチンコ遊技機用台車。
【請求項９】
パチンコ遊技機の組立または解体の作業を行なうシステムであって、
前記パチンコ遊技機を立設したまま組立または解体作業を行なう作業用ラインと、
前記請求項１ないし請求項８のいずれかに記載のパチンコ遊技機用治具と、
前記作業用ラインから前記パチンコ遊技機を前記パチンコ遊技機用治具に移し替える移行手段と、
該パチンコ遊技機を前記内フレームに固定した前記パチンコ遊技機用治具を、前記内フレームごと前記パチンコ遊技機を回転可能な状態で搬送する治具搬送手段と
を備えたパチンコ遊技機作業システム。
【請求項１０】
パチンコ遊技機の組立または解体の作業を行なうシステムであって、
パチンコ遊技機を、固定する内フレームと、
該内フレームを回転自在に保持する外フレームと、
前記内フレームを、前記外フレームに対して定まる２以上の回転位置で固定可能な固定機構と、
を備えたパチンコ遊技機用治具と、
該パチンコ遊技機用治具を組立または解体作業箇所まで移動する搬送手段と
を備えたパチンコ遊技機作業システム。
【請求項１１】
パチンコ遊技機にに対して部品を組立または解体の作業を行なう方法であって、
パチンコ遊技機を、固定用治具に設けられた外フレームに対して回転自在に軸支された内フレームに固定し、
該内フレームを前記外フレームに対して第１の回転位置で固定し、
該第１の位置に固定された前記パチンコ遊技機に対して、部品を取付または解体する第１の作業を行ない、
該第１の作業の完了後に、前記内フレームを前記外フレームに対して回転し、前記第１の位置とは異なる第２の位置に固定し、
該第２の位置に固定された前記パチンコ遊技機に対して、他の部品を取付または解体する第２の作業を行なう
パチンコ遊技機の作業方法。
【請求項１２】
請求項１１記載のパチンコ遊技機の作業方法であって、
前記第２の位置での前記解体の処理は、前記第１の位置に対して、パチンコ遊技機の表裏の異なる側から前記部品を取付または解体する処理である作業方法。
【発明の詳細な説明】
【０００１】
【発明の属する技術分野】
本発明は、パチンコ遊技機用治具およびパチンコ遊技機用台車に関し、更にはこの治具を用いたパチンコ遊技機の作業方法および作業システムに関する。
【０００２】
【従来の技術】
パチンコ遊技機は、木、合成樹脂、金属、ガラスなど、異種の材料が複合的に用いられているので、使用後、そのまま廃棄すると、環境に与える負担は大きい。そこで、解体することで、分別廃棄や部品の一部再使用などが行なわれている。部品をパチンコ遊技機を構成する枠体から取り外し、更にこれを金属、プラスチック、木、ガラスなどの材料別に分別することで、破砕あるいは溶融といった処理を容易にし、廃棄または再生使用するために行なわれるされる（例えば特開平９−１２２６３０号参照）。
【０００３】
こうした解体において、パチンコ遊技機からモータや制御盤、あるいはガラスなどの取り外しは、パチンコ遊技機を、作業台などの上に置き、通常は人手によって行なわれていた。
【０００４】
【発明が解決しようとする課題】
しかしながら、最近のパチンコ遊技機では、遊技盤裏側の構成が複雑化しており、パチンコ遊技機から部品を取り外そうとすると、パチンコ遊技機を裏返したり、立てたり、寝かせたりなど、煩瑣な手間を要するという問題があった。作業台の上に、回収したパチンコ遊技機を置いて作業したのでは、極めて効率が悪いという問題があった。
【０００５】
なお、こうした問題は、実際には、人手によりパチンコ遊技機を組み立てる場合でも生じていた。パチンコ遊技機の構成が複雑になるに連れて、自動機を用いることなく、パチンコ遊技機を組み立てようとすると、様々な部品を取り付けるために、パチンコ遊技機を裏返したり、寝かせたり、立てたりといった煩瑣な作業が必要になっていた。
【０００６】
本発明は、上記の課題を解決し、使用済みのパチンコ遊技機の解体または組立作業を用意することを目的として、以下の構成を取った。
【０００７】
【課題を解決するための手段およびその作用・効果】
本発明のパチンコ遊技機用治具は、
パチンコ遊技機の組立または解体に用いる治具であって、
パチンコ遊技機が固定される内フレームと、
該内フレームを回転可能に軸支する外フレームと、
前記内フレームを、前記外フレームに対して定まる２以上の回転位置で固定可能な固定機構と
を備えたことを要旨とする。
【０００８】
かかる治具は、パチンコ遊技機の組立はまたは解体に用いられるが、そのうちフレームにはパチンコ遊技機が固定される。このとき、うちフレームは、これを回転自在に軸支する外フレームに対して、２以上の回転位置で固定可能である。従って、パチンコ遊技機を内フレームごと回転することができ、いちいちパチンコ遊技機を作業台の上で裏返したり、寝かせたりする必要がない。この結果、パチンコ遊技機の組立や解体の作業が極めて容易になる。
【０００９】
かかるパチンコ遊技機用治具において、内フレームを、パチンコ遊技機を固定したまま、少なくとも１８０度、外フレームに対して回転可能とすることができる。少なくとも１８０度回転できれば、パチンコ遊技機の裏表に対して、同方向から作業可能となり、組立または解体作業が容易となる。
【００１０】
かかるパチンコ遊技機用治具において、
前記固定機構は、
前記パチンコ遊技機の枠体を、該枠体の一の側部における側部両端から挟持して固定する第１の固定手段と、
該側部とは反対側の一側部において、前記枠体を、前記パチンコ遊技機の前後方向から挟持して固定する第２の固定手段と
を備えたものとすることができる。
この場合、第１の固定手段により、枠体をその一の側部における側部両側から挟持し、第２の固定手段により、枠体をその前後方向から挟持して固定するので、枠体の固定位置の位置決めを、少なくとも２方向に対して、精度よく行なうことができる。こうした効果は、特にこのパチンコ遊技機用治具を、ある位置で作業しその後別の位置に移動してまた作業を行なうといった使い方では、治具に固定されたパチンコ遊技機の位置が変動して、作業に障害を生じると言うことがない。また、パチンコ遊技機の枠体を、一の側部ではその側部両端から挟持し、反対側の側部では前後方向から挟持しているので、内フレームごとパチンコ遊技機を回転した際に、パチンコ遊技機が脱落するということがない。
【００１１】
ここで、第１，第２の固定手段が固定する枠体は、パチンコ遊技機の外枠、内枠あるいは前枠のうちのいずれかとすることができる。これらのどの枠体を固定する場合でも、その枠体に取り付けられた部品に対する作業が容易となる。
【００１２】
また、こうしたパチンコ遊技機用治具において、内フレームを、その一辺に、前記パチンコ遊技機の枠体の対応する一辺が係合される係合部を備えると共に、該一辺とは反対側の一辺に、前記パチンコ遊技機の枠体の対応する一辺を載置する載置部材と、該載置部材との間に、該パチンコ遊技機の該一辺を挟み込んで固定するクランプ機構とを備えた構成とすることができる。かかる構成を採用すれば、クランプ機構を操作するだけで、パチンコ遊技機を内フレームに容易に固定することができる。また、クランプ機構によりパチンコ遊技機の枠体の一辺を載置部材上に挟み込んで固定するので、枠体、ひいてはパチンコ遊技機が浮き上がることがない。
【００１３】
上記軸では、内フレームは、外フレームに対して回転する。そこで、内フレームに、内フレームを回転させるための把手を備えることも、作業性を向上する上で好適である。更に、この把手を操作することにより、内フレームが外フレームに対して回転しないように固定し、また当該固定を解除するものとすることができる。この場合、把手の操作だけで、固定と固定の解除ができるので、作業が容易になると言う利点が得られる。こうした固定とその解除を行なう手段は、内フレームの固定位置に対応して少なくとも２箇所に設けることができる。このとき、固定とその解除を行なう手段には、把手に連接された係合部と、把手を係合部ごと、内フレームの回転方向と交差する方向に移動可能に保持する移動機構と、係合部と係合することにより、係合部を固定する固定部とを設け、把手を、上記の交差方向に移動することにより、係合部が固定部から離脱して、内フレームが回転可能な状態となり、内フレームが回転して、把手の係合部が、回転位置に設けられた固定とその解除を行なう手段の固定部に係合することにより、内フレームを固定するものとしても良い。この場合、回転した内フレームを固定したり、その固定を解除したりする際の把手の移動方向は、内フレームの回転方向に交差する方向となっているから、作業者が把手にうっかり触ったりした場合でも、内フレームが回転してしまったりすることがない。
【００１４】
また、このパチンコ遊技機用治具に、電動機と、該電動機の回転を伝達する伝達機構と、該伝達機構を介して伝達される動力により前記内フレームを所望の位置まで回転する回転機構とを備えるものとしても良い。こうすれば、電動機を用いて内フレームおよびこれに固定したパチンコ遊技機を回転することができるので、作業がよい簡易なものとなる。
【００１５】
こうした治具においては、回転した内フレームを、所定の位置で固定する固定具を備えることも望ましい。作業を行なうときに、内フレームが所定の位置で固定されていれば、作業が容易になるからである。こうした固定位置は、予め定めた１カ所または複数箇所としても良いし、任意の位置で固定できるものとしても良い。
【００１６】
なお、こうした治具は、種々の材料で構成することがきるが、パチンコ遊技機のように２０キログラム前後の重量を有するものを取り扱う場合には、内フレームおよび外フレームをアルミニウム製とすることが、治具全体の軽量化と剛性とを両立させる点から望ましい。もとより、ステンレス、ジュラルミン、その他の軽合金などを用いることも差し支えない。耐久性をさほど重視しない場合には、木製や合成樹脂などを用いることも可能である。
【００１７】
上記治具を用いて、パチンコ遊技機用台車を構成することができる。即ち、かかるパチンコ遊技機用台車は、
前記したパチンコ遊技機用治具の少なくとも一の構成を備えたパチンコ遊技機用治具と、
該パチンコ遊技機用治具を載置する車輪付きの載置台と
を備えたことを要旨としている。
【００１８】
かかる台車は、車輪を付きの載置台を有するので、前記のパチンコ遊技機用治具を搭載したまま（従って、パチンコ遊技機を固定したまま）、容易に、移動することができる。この結果、例えば解体作業や組立作業が、特定の作業を行なう特定の場所の組合わせとして構成されている場合など、パチンコ遊技機を固定したまま、これらの場所間を自在に移動することができ、解体や組立の作業を簡易に行なうことができる。
【００１９】
更に、車輪を回転駆動する電動機を備えるものとすれば、台車を自走もしくは小さな力で移動させることができ、好適である。
【００２０】
また、上述したパチンコ遊技機用治具を用いて、新規で有用なパチンコ遊技機の解体や組立を行なう作業システムを構成することができる。即ち、かかるパチンコ遊技機のシステムは、
前記パチンコ遊技機を立設したまま組立または解体作業を行なう作業用ラインと、
上述したパチンコ遊技機用治具のいずれかと、
前記作業用ラインから前記パチンコ遊技機を前記パチンコ遊技機用治具に移し替える移行手段と、
該パチンコ遊技機を前記内フレームに固定した前記パチンコ遊技機用治具を、前記内フレームごと前記パチンコ遊技機を回転可能な状態で搬送する治具搬送手段と
を備えたことを要旨としている。
【００２１】
かかる作業システムによれば、作業用ラインのなかで、上述したパチンコ遊技機用治具を用いることで、作業用ラインにおけるパチンコ遊技機の回転を容易に実現し、パチンコ遊技機の裏表などからの部品の取付や解体を容易にする。
【００２２】
また、本発明の他の作業システムとして、
パチンコ遊技機の組立または解体の作業を行なうシステムであって、
パチンコ遊技機を、固定する内フレームと、
該内フレームを回転自在に保持する外フレームと、
該内フレームを前記外フレームに対して、異なる２以上の回転位置で固定する固定手段と
を備えたパチンコ遊技機用治具と、
該パチンコ遊技機用治具を組立または解体作業箇所まで移動する搬送手段と
をそなえた構成を考えることもできる。
【００２３】
かかる構成でも、作業において、この治具の内フレームにパチンコ遊技機を固定することで、パチンコ遊技機の回転を容易に実現し、パチンコ遊技機の裏表などからの部品の取付や解体を容易にすることができる。
【００２４】
上述した固定用治具を利用したパチンコ遊技機の組立や解体の作業方法の発明を構成することができる。即ち、かかる作業方法は、
パチンコ遊技機にに対して部品を組立または解体の作業を行なう方法であって、
パチンコ遊技機を、固定用治具に設けられた外フレームに対して回転自在に軸支された内フレームに固定し、
該内フレームを前記外フレームに対して第１の回転位置で固定し、
該第１の位置に固定された前記パチンコ遊技機に対して、部品を取付または解体する第１の作業を行ない、
該第１の作業の完了後に、前記内フレームを前記外フレームに対して回転し、前記第１の位置とは異なる第２の位置に固定し、
該第２の位置に固定された前記パチンコ遊技機に対して、他の部品を取付または解体する第２の作業を行なうこと
を要旨としている。
【００２５】
この作業方法によれば、固定用治具の内フレームに固定されたパチンコ遊技機を、内フレームを外フレームに対して回転することで、第１の回転位置に固定し、ここでパチンコ遊技機に対して部品を取付または解体する第１の作業を行なう。この作業の完了後、内フレームを外フレームに対して回転し、第１の位置とは異なる第２の位置に固定し、ここで他の部品を取付または解体する第２の解体作業を行なう。従って、外フレームに対して回転自在な内フレームを有する固定用治具を用いて、少なくとも第１および第２の位置でパチンコ遊技機を固定し、パチンコ遊技機に対して、それぞれの位置で容易に部品を取付または解体することができる。
【００２６】
ここで、第２の位置での前記第２の作業は、第１の位置に対して、パチンコ遊技機の表裏の異なる側から前記部品を取付または解体する作業とすることができる。回転によって、パチンコ遊技機の表裏を、簡単に作業者の前に位置させることができるので、作業の効率を高めることができる。
【００２７】
【発明の実施の形態】
本発明の実施の形態を、実施例に基づき説明する。図１は、実施例のパチンコ遊技機用治具３１０の概略構成を示す斜視図である。このパチンコ遊技機用治具３１０は、パチンコ遊技機ＰＰの解体と組立のラインで用いられる。そこで、まずパチンコ遊技機ＰＰの解体と組立ラインについて、図２ないし図６を用いて説明する。
【００２８】
図２は、パチンコ遊技機ＰＰの解体と組立ラインを備えたパチンコ遊技機製造システム１０の概要を示す説明図である。図２に示すように、パチンコ遊技機製造システム１０は、工場ＦＣ１内に、解体ラインＱＬ、部品検査・調整ラインＴＡＬ，ＴＢＬおよび製造ラインＰＬという３つのラインを設けることによって構成される。そこで、以下、▲１▼製造ラインＰＬおよびその作業内容、▲２▼解体ラインＱＬ、▲３▼部品検査・調整ラインＴＡＬ，ＴＢＬ、▲４▼解体ラインの作業内容の順に、これらの構成および作業内容について説明する。
【００２９】
▲１▼製造ラインＰＬおよびその作業内容：
まず、パチンコ遊技機の製造に必要な各種部品の組み付け等を行なう製造ラインＰＬについて、図２を参照しつつ簡単に説明する。製造ラインＰＬは、ローラコンベヤ９０にそって、順次部品が取り付けられて、パチンコ遊技機ＰＰが製造されるよう構成されており、その製造工程は、図２に示したように、遊技板機構板組立工程Ｐ１、内枠組立工程Ｐ２、動作確認・調整工程Ｐ３、外枠組立工程Ｐ４、包装工程Ｐ５から構成されている。また、ローラコンベヤ９０の周囲には、製造用の部品を収納した多数の収納部が配置されている。これらを図３に一覧表示した。収納ラックＰＢ１は外枠組立工程Ｐ４に、収納具ＰＢ３は内枠組立工程Ｐ２に、収納箱ＰＢ４および収納箱ＰＢ５は遊技板・機構板組立工程Ｐ１に、それぞれ設けられており、各収納ラック、収納箱などには、外枠２２など、その組立工程で必要とされる部品が収納されている。なお、これらの収納ラック、収納箱に収納されている部品は新品であり、後述するように、一度出荷された製品から解体・回収された部品（再生部品）が、同様の収納ラックＱＢ１や収納具ＱＢ２，ＱＢ３、収納箱ＱＢ４，ＱＢ５に収納されて、各工程Ｐ１ないしＰ４に置かれている。これらの再生品については、後述する。
【００３０】
遊技板・機構板組立工程Ｐ１では、図４に示すように、機構板５０に、発射レール５１，球タンク５２，タンクレール５３，入出力基板５４，制御回路ボックス５５，賞球払出し装置５６等を取り付ける作業を行なう。更に、遊技板４０に、裏から球誘導ユニット４６，入賞検出手段４７，図柄表示装置４８を、また表には、誘導レール４１，障害釘４２，風車４３，入賞口４４，表示ランプ４５などを取り付ける作業も行なう。
【００３１】
内枠組立工程Ｐ２では、遊技板４０および機構板５０が取り付けられた内枠３０に、更に表示ランプ３１，ガラス扉３２，装飾板３３，上皿３４，下皿３５，発射ハンドル３６，打球発射回路基板３７，発射モータ３８などを取り付ける作業を行なう。なお、上記の順序は取り付け順序とは必ずしも一致するものではない。また、明示的には記載しなかったが、各部品が取り付けられると、これらの部品間の配線も、同時に行なわれる。従って、内枠組立工程Ｐ２が完了した時点で、内枠３０に組み付けられた各部品は、電源さえ供給すれば、動作可能となっている。
【００３２】
そこで、次に、動作確認・調整工程Ｐ３に移行し、ここで内枠３０に組み付けられた各種部品の動作確認や調整作業を行なう。予めラインに用意した電源を接続し、玉の発射やその発射個数などの確認・調整などを行なうのである。ここで、動作が確認され、規定の範囲に調整されたものだけが、次の外枠組立工程Ｐ４に移される。動作確認などができなったものは、不具合品として製造ラインから外される。
【００３３】
動作確認・調整工程Ｐ３で良品と判断されたものは、次の外枠組立工程Ｐ４に移行される。外枠組立工程Ｐ４では、遊技板４０および機構板５０が取り付けられた状態の内枠３０が、外枠２２の枠内に嵌め込まれる。以上の工程により、パチンコ遊技機の製造が完了する。この外枠組立工程Ｐ４の下流には、更に、包装工程Ｐ５が設けられている。包装工程は、部品等の組み付け、外枠への取付が完了したパチンコ遊技機ＰＰに、袋状のポリエチレン製のシート（厚み約０．０４ｍｍ）を被せて包装する工程である。ここでは、外枠組立工程Ｐ４と包装工程Ｐ５の詳細は、省略するが、両工程を経て、製造ラインＰＬの終端に至ったパチンコ遊技機は、そのまま出荷可能な状態となっている。
【００３４】
▲２▼解体ラインＱＬ：
以上、製造ラインＰＬの各工程Ｐ１〜Ｐ５について説明した。次に、パチンコ遊技機製造システム１０を構成するもう一つのラインである解体ラインＱＬおよび部品検査・調整ラインＴＡＬ，ＴＢＬについて、図２，図５ないし図７を参照しつつ説明する。図５は、収納ラックＱＢ１，ＱＢ２および収納具ＱＢ３，ＱＢ４，ＱＢ５に収納される部品の一覧を示す説明図である。図６は、解体ラインＱＬにおいて使用済みのパチンコ遊技機８０から外枠２２が取り外される様子を示す説明図であり、図７は、解体ラインＱＬに設けられたねかせ装置１５０を示す説明図である。
【００３５】
図２に示したように、解体ラインＱＬは、部品検査・調整ラインＴＡＬ，ＴＢＬを挟んで、製造ラインＰＬの向かい側に設けられている。解体ラインＱＬは、使用済みのパチンコ遊技機８０（以下、旧機８０という）を、ねかせ装置１５０まだ連続的に運搬するローラコンベヤ７０と、ねかせ装置１５０の下流側に敷設されたレール７２を備える。このローラコンベヤ７０およびレール７２は、製造ラインＰＬのローラコンベヤ９０と略平行に敷設されている。
【００３６】
ローラコンベヤ７０上で行なわれる流れ作業は、外枠分離工程Ｑ１、動作確認・調整工程Ｑ２、第一部品分離工程Ｑ３、第二部品分離工程Ｑ４という四つの工程に区分される。外枠分離工程Ｑ１，動作確認・調整工程Ｑ２，第一部品分離工程Ｑ３，第二部品分離工程Ｑ４の作業領域は、図２に示したように、それぞれ外枠組立工程Ｐ４，動作確認・調整工程Ｐ３，内枠組立工程Ｐ２，遊技板・機構板組立工程Ｐ１が行なわれる作業領域と対向した位置に配置されている。
【００３７】
図２において、向かって左から右への白抜きの矢印で示すように、ローラコンベヤ７０上に旧機８０がセットされた後、各工程Ｑ１，Ｑ２，Ｑ３，Ｑ４がこの順に行なわれることにより、旧機８０から外枠２２等の旧機８０を構成する各種部品が順次に分離され、この結果、旧機８０が解体される。本実施例では、パチンコ遊技機においては各種部品の分離順序が各種部品の組み立て順序とほぼ逆順となることを考慮し、解体ラインＱＬにおける工程の進行方向を製造ラインＰＬにおける工程の進行方向とは逆の向きとしている。
【００３８】
図２では、各工程Ｑ１，Ｑ２，Ｑ３，Ｑ４における作業者の位置を二重丸印を用いて示している。この各工程Ｑ１，Ｑ２，Ｑ３，Ｑ４における作業者の位置の近傍には、それぞれ、収納ラックＱＢ１，収納ラックＱＢ２，収納具ＱＢ３，収納具ＱＢ４，収納具ＱＢ５が設けられている。この収納ラックＱＢ１，ＱＢ２および収納具ＱＢ３，ＱＢ４，ＱＢ５に、各工程Ｑ１〜Ｑ４において旧機８０から分離された部品（以下、既使用部品Ｍという）等が収納される。各収納ラックＱＢ１，ＱＢ２および収納具ＱＢ３，ＱＢ４，ＱＢ５に収納される既使用部品Ｍの一覧を図５に示した。なお、この図５の内容については、後述する各工程Ｑ１〜Ｑ４における具体的な作業内容と併せて説明する。
【００３９】
収納ラックＱＢ１，ＱＢ２および収納具ＱＢ３，ＱＢ４，ＱＢ５の脚部にはキャスタが設けられている。従って、作業者は、収納ラックＱＢ１，ＱＢ２および収納具ＱＢ３，ＱＢ４，ＱＢ５を手で押すことにより、収納ラックＱＢ１，ＱＢ２および収納具ＱＢ３，ＱＢ４，ＱＢ５を部品検査・調整ラインＴＢＬや製造ラインＰＬまで簡単に移動させることができる。勿論、リフト機等の他の運搬装置により収納ラックＱＢ１，ＱＢ２および収納具ＱＢ３，ＱＢ４，ＱＢ５を移動することとしても差し支えない。また、収納ラックＱＢ１，ＱＢ２および収納具ＱＢ３，ＱＢ４，ＱＢ５の回収や移動に関する運搬装置の動作を制御し、作業を自動化することも可能である。
【００４０】
▲３▼部品検査・調整ラインＴＡＬ，ＴＢＬ：
図２に示したように、解体ラインＱＬの外枠分離工程Ｑ１と製造ラインＰＬの外枠組立工程Ｐ４との間の領域には、外枠分離工程Ｑ１において分離された既使用部品Ｍ（具体的には、外枠２２）を検査ないし調整する部品検査・調整ラインＴＡＬが設けられている。部品検査・調整ラインＴＡＬは、外枠２２が吊り下げられる検査ボード７６を備える。この検査ボード７６上において、既使用部品Ｍとしての外枠２２の外観を検査および調整する作業（外観検査・調整工程ＴＡ１）が行なわれる。
【００４１】
また、解体ラインＱＬの第一部品分離工程Ｑ３および第二部品分離工程Ｑ４と製造ラインＰＬの内枠組立工程Ｐ２および遊技板・機構板組立工程Ｐ１との間の領域には、各部品分離工程Ｑ３，Ｑ４において分離された既使用部品Ｍを検査ないし調整する部品検査・調整ラインＴＢＬが設けられている。部品検査・調整ラインＴＢＬは、既使用部品Ｍを置いて検査作業や調整作業を行なうための作業台７８を備える。この作業台７８で行なわれる作業は、外観検査・調整工程ＴＢ１、機能検査・調整工程ＴＢ２という二つの工程に区分されている。図２に白抜きの矢印で示すように、まず、外観検査・調整工程ＴＢ１において既使用部品Ｍの外観についての検査ないし調整がなされ、次に、機能検査・調整工程ＴＢ２において既使用部品Ｍの機能についての検査ないし調整がなされる。
【００４２】
▲４▼解体ラインＱＬにおける作業内容：
解体ラインＱＬの各工程Ｑ１，Ｑ２，Ｑ３，Ｑ４で行なわれる作業の内容について、以下、具体的に説明する。まず、外枠分離工程Ｑ１では、ローラコンベヤ７０上の旧機８０から外枠２２を取り外す。旧機８０から外枠２２が取り外される様子を図６に示す。図６（Ａ）、図６（Ｂ）は、それぞれ外枠分離工程Ｑ１に配設されたローラコンベヤ７０の立面、上面を示している。
【００４３】
図６（Ｂ）に示すように、外枠分離工程Ｑ１におけるローラコンベヤ７０は、コンベヤ７０ａ１，コンベヤ７０ａ２という二本のコンベヤによって構成されている。コンベヤ７０ａ２は、コンベヤ７０ａ１の終端よりも上流側の領域を始端として、コンベヤ７０ａ１と平行に且つ隣接して配設されている。このため、図６（Ｂ）に示す範囲ＹＺ２においては、コンベヤ７０ａ１およびコンベヤ７０ａ２の双方が重複して配設された状態となっている。
【００４４】
図６（Ａ）に示すように、コンベヤ７０ａ１の上方には、コンベヤ７０ａ１上の旧機８０の外枠２２上端面を下方向に押圧する押圧装置２４３が配設されている。一方、コンベヤ７０ａ２の上方には、内枠３０の上端を摺動可能に挟持する誘導レール２４２が配置されている。この誘導レール２４２は、範囲ＹＺ２を除くコンベヤ７０ａ２の上方に敷設される。
【００４５】
図６（Ａ）に示すように、コンベヤ７０ａ１の上流側から搬送されてきた旧機８０はコンベヤ７０ａ１の終端部（図６に示す範囲ＹＺ２領域）において停止する。この後、押圧装置２４３が作動することにより、旧機８０は、押圧装置２４３とコンベヤ７０ａ１との間で挟持固定される。外枠分離工程Ｑ１領域に配置された作業者は、図６（Ｂ）に矢印Ｘ１で示すように、固定された状態の旧機８０から遊技板４０および機構板５０が取り付けられた状態の内枠３０を取り外し、この内枠３０を、台座２４１を介してコンベヤ７０ａ２上の所定の位置に置く。
遊技板４０および機構板５０が取り付けられた状態の内枠３０は、図６（Ｃ）に矢印Ｘ２で示すように、誘導レール２４２に支持され、起立した状態でコンベヤ７０ａ２上を搬送されていき、動作確認・調整工程Ｑ２領域に進入する。
【００４６】
一方、コンベヤ７０ａ１上に残った外枠２２は、押圧装置２４３による押圧が解除された後に、既使用部品Ｍとして収納ラックＱＢ１に収納される（図５を参照）。
【００４７】
内枠３０が動作確認・調整工程Ｑ２に進入すると、まず、コンベヤ７０ａ２の駆動が一時停止される。この後、遊技板４０および機構板５０と一体の内枠３０を電源に繋ぎ、内枠３０に取り付けられている各種部品の動作が出荷品として適当な状態か否かを確認する。具体的には、発射ハンドル３６の操作時における球跳び状態、表示ランプ３１，４５の点灯状態、入賞時における入賞口４４や賞球払出し装置５６の動作状態等を作業者による試行によって確認する。
【００４８】
各種部品の動作が出荷品として不適当な状態である場合には、手直しによる調整を行なう。例えば、発射される遊技球の弾発力が弱いと確認された場合には、発射ハンドル３６の遊びの範囲等を調整する。賞球を払い出す際に払出し装置５６に球詰まりが生じる場合には、払出し装置５６を清掃する等により、球詰まりが生じないように調整する。
【００４９】
こうした確認作業ないし調整作業によって再使用品として適当な状態であることが確認された遊技板４０および機構板５０と一体の内枠３０は、ローラコンベヤ７０上から除去され、パチンコ遊技機の一部として再び使用することができる部品（以下、再使用可能部品ＭＡという）として収納ラックＱＢ２に収納される（図５を参照）。再使用可能部品ＭＡが収納された収納ラックＱＢ２は、製造ラインＰＬの外枠組立工程Ｐ４領域に送られる。（図２を参照）。
【００５０】
一方、内枠３０が再使用品として適当な状態でないか否かが確認された場合には、コンベヤ７０ａ２を再び駆動し、起立した状態の内枠３０を、第一部品分離工程Ｑ３の最上流域に設けられた寝かせ装置１５０に送り込む。解体ラインＱＬは、記述したように、この寝かせ装置１５０のところで、ローラコンベヤ７０とレール７２とに分かれている。図７に示すように、解体ラインＱＬのうち、寝かせ装置１５０から下流側、即ち第一部品分離工程Ｑ３領域および第二部品分離工程Ｑ４領域では、ローラコンベヤ７０に替えて、手動で回転するローラ付きの二本のレール７２が設けられている。この二本のレール７２上にはパチンコ遊技機用治具３１０が載せられている。動作確認・調整工程Ｑ２までは、立った状態で、ローラコンベヤ７０上を搬送されてきた旧機８０は、寝かせ装置１５０により９０度寝かされた状態にされ、パチンコ遊技機用治具３１０に移し替えられる。
その後の工程については、旧機８０は、パチンコ遊技機用治具３１０に搭載された状態で、２本のレール７２上を搬送されることになるのである。なお、この実施例では、以下の分離工程において、遊技板４０や機構板５０は、内枠３０に固定されているものとして説明するが、遊技板４０や機構板５０については、先の動作確認・調整工程Ｑ２において内枠３０から分離解体し、これらの板およびその板に搭載された部品が付いていない状態の内枠３０を、部品分離工程Ｑ３のパチンコ遊技機用治具３１０に装着するものとしても良い。
【００５１】
寝かせ装置１５０は、図７（Ａ）に示すように、動作確認・調整工程Ｑ２のローラコンベヤ７０の終端に位置し、ここまで立った状態で搬送された旧機８０を、９０度回転して寝かせ、パチンコ遊技機用治具であるパチンコ遊技機用治具３１０に取り付ける装置である。寝かせ装置１５０は、その詳細な図示を省略するが、寝かせ装置１５０の動作を制御する制御機構が収納された本体１５１と、本体１５１の上方に位置し旧機８０を挟み込む昇降アーム部１５５と、図示しない回転駆動機構とからなり、ローラコンベヤ７０により搬送された旧機８０を本体１５１と昇降アーム部１５５との間に挟持し、回転機構により、図７（Ａ）の状態に寝かせる。
【００５２】
このように旧機８０を回転して寝かした状態にすると、旧機８０の真下には、パチンコ遊技機用治具３１０が位置した状態となる。次に、パチンコ遊技機用治具３１０の構成について図１および図８，図９を参照しつつ説明する。図８はパチンコ遊技機用治具３１０の上面を示す説明図、図９はパチンコ遊技機用治具３１０における軸体３３０Ａ周辺の縦断面を示す説明図である。
【００５３】
図１に示したように、パチンコ遊技機用治具３１０は、二本のレール７２幅と略同幅の外フレーム３１２と、この外フレーム３１２よりも幅狭の内フレーム３２０を備える。外フレーム３１２および内フレーム３２０は共に金属製である。
内フレーム３２０の枠内は、遊技板４０および機構板５０と一体の内枠３０を収納可能な寸法で形成されている。本実施例では、外側枠３１２や内側枠３２０は、アルミニウムの押出材により形成されている。もとより、ステンレスやジュラルミンなども使用可能である。
【００５４】
図２および図８に示すように、内フレーム３２０は外フレーム３１２の枠内に配置されており、内フレーム３２０の短辺側側面の中央部と外フレーム３１２の短辺側の側面の中央部とは軸体３３０Ａ，３３０Ｂで接続されている。また、外フレーム３１２の長辺側の側面には、二つの切欠部３１４Ｌ，３１４Ｒが互いに対向する位置に形成されており、切欠部３１４Ｒと向かい合う位置の内フレーム３２０の長辺側側面には、外フレーム３１２の長辺側側面の外側に突出する長さのレバー３１６が装着されている。
【００５５】
内フレーム３２０と外フレーム３１２との軸体３３０Ａによる接続構造について図９を参照しつつ説明する。なお、図９では、内フレーム３２０と外フレーム３１２とを上方において接続する軸体３３０Ａ周りの断面を示しているが、内フレーム３２０と外フレーム３１２とを下方において接続する軸体３３０Ｂ周りも図９と同様の構造を採る。図９に示すように、外フレーム３１２の短辺側側面の中央部内側には凹所３１３が形成されており、この凹所３１３には軸体３３０Ａの一端が嵌め込まれている。凹所３１３に嵌め込まれた軸体３３０Ａの一端は、外フレーム３１２の外側から四本のねじ３４５ａ〜ｄで締め付けられて（図１０を参照）、外フレーム３１２に螺着される。
【００５６】
なお、外フレーム３１２と内フレーム３２０との間の空間には、左右のプレート３２６，３２７との係合によって保持された皿ばね３２８が装着されている。
この皿ばね３２８の装着により、外フレーム３１２と内フレーム３２０との間の隙間を一定に保つことが可能となる。
【００５７】
図９に示すように、内フレーム３２０の短辺側側面の中央部には、軸体３３０Ａの軸径よりもやや大径の貫通孔３２１が形成されており、軸体３３０Ａの他端は、この貫通孔３２１を貫通している。貫通後の軸体３３０Ａの周囲にはベアリング３３１が装着されており、このベアリング３３１の外周部は中空略円筒形のプレート３３２で覆われながらプレート３３２と嵌合している。このように、ベアリング３３１と嵌合されたプレート３３２は、内フレーム３２０の内側から四本のねじ（図９では、上下二本のねじを二点鎖線で示す）で締め付けられて、内フレーム３２０に螺着される。これにより、内フレーム３２０は、プレート３３２を介してベアリング３３１の外周部に装着された状態となる。
【００５８】
一方、軸体３３０Ａの他端には、ベアリング３３１の内周部を覆う大きさの座金３３３が挿入され、この座金３３３は、軸体３３０Ａの他端に形成されたねじ部へのナット３３４の螺着に伴ってベアリング３３１の内周部に圧設される。これにより、外フレーム３１２に螺着された軸体３３０Ａは、ナット３３４，座金３３３を介してベアリング３３１の内周部に装着された状態となる。よって、内フレーム３２０は、ベアリング３３１の外周部の作用により、外フレーム３１２に螺着された軸体３３０Ａの周りを回転することができる。
【００５９】
従って、図１において、外フレーム３１２を固定した状態で、切欠部３１４Ｒに置かれたレバー３１６を矢印Ｄ方向に動かすと、この方向に内フレーム３２０が回転する。内フレーム３２０が矢印Ｄ方向に１８０度回転すると、レバー３１６は反対側の切欠部３１４Ｌに位置する。
【００６０】
図１および図８に示したように、内フレーム３２０の短辺側の各内側面および長辺側の各内側面には、それぞれ二個の受け台３２５が所定の間隔をおいて装着されている。図８に二点鎖線で示すように各受け台３２５の上に遊技板４０および機構板５０と一体の内枠３０が載ることにより、内枠３０は横向きに内フレーム３２０内に収納される。
【００６１】
内フレーム３２０の短辺側内側面の隅部には、係合ピン３２３ａを有する機構部３２３および係合ピン３２４ａを有する機構部３２４が、互いに対向する位置関係で設けられている。係合ピン３２３ａは、内枠３０が内フレーム３２０内に収納された状態において、内枠３０の上端面に設けられた穿設孔３０ｂと対向する位置に設けられる。また、係合ピン３２４ａは、内枠３０が内フレーム３２０内に収納された状態において、内枠３０の下端面に設けられた穿設孔３０ｄと対向する位置に設けられる。また、内フレーム３２０の一方の長辺側上端面の中央付近には、上記機構部３２３，３２４とクランク機構３４１，３４２で接続されたＴ字型のハンドル３２２が突設されている。
【００６２】
図１および図８は、ハンドル３２２が引かれていない状態を示しており、この状態において係合ピン３２３ａ，３２４ａは、機構部３２３，３２４の表面よりも僅かに突出している。この状態からハンドル３２２を図１に示す矢印Ａ方向に引くと、クランク機構３４１，３４２を介した機構部３２３，３２４の作用により、係合ピン３２３ａ，３２４ａが矢印Ｂ方向に大きく突出する。これにより、係合ピン３２３ａ，係合ピン３２４ａは、それぞれ、内枠３０の上端面の穿設孔３０ｂ，内枠３０の下端面の穿設孔３０ｇに係合する。
【００６３】
このクランク機構３４１，３４２の構造について、図１１を用いて更に詳しく説明する。図１１は、ハンドル３２２を操作した場合に、係合ピン３２３ａ，３２４ｂが、内フレーム３２０方向に移動する様子を示す説明図である。この図１１は、図１におけるＡＡ矢視に相当する図である。図１１（Ａ）に示すように、ハンドル３２２のその下部には、左右、即ち内フレーム３２０の一側部に沿って、機構部３２３，３２４まで延出されたクランク機構３４１，３４２が設けられている。このクランク機構３４１，３４２は、ハンドル３２２を挟んで対称形をしており、それぞれ、支持ガイド３５０に支持されて図示ＢＸ方向に移動可能な上方昇降杆３５１および下方昇降杆３５２を備える。この上方昇降杆３５１および下方昇降杆３５２は、ハンドル３２２に、連携軸３４３および上方連携軸３４６，下方連携軸３４７により接合されている。
【００６４】
図１１（Ａ）に示した状態から、ハンドル３２２を内フレーム３２０側に押し込むと、連携軸３４３は、上方連携軸３４６，下方連携軸３４７との結合点ＣＰを、ハンドル３２２の移動方向に押し込む。上方連携軸３４６と下方連携軸３４７の他端が結合された上方昇降杆３５１および下方昇降杆３５２は、支持ガイド３５０により、矢印ＢＸ方向にのみ動作可能にガイドされているから、上方連携軸３４６，下方連携軸３４７の移動は、結果的に、上方昇降杆３５１および下方昇降杆３５２を、両者の中心方向（ハンドル３２２の存在する方向）に引き込むことになる。ハンドル３２２の移動後のこの状態を示すのが、図１１（Ｂ）である。図示するように、ハンドル３２２が押し込まれたことで、上方昇降杆３５１，下方昇降杆３５２は、両者の中心方向に移動し、両杆３５１，３５２の外側端部に固定された可動板３６１，３６２を、内側（内枠３０の存在する側）に移動する。この結果、この可動板３６１，３６２に、内方向に向けて設けられ、機構部３２３，３２４を構成する係合ピン３２３ａ，３２４ａもまた、内側に移動する。こうした、係合ピン３２３ａ，３２４ａが、内フレーム３２０の内部にセットされた内枠３０の穿設孔３０ｂ，３０ｇに係合する。
【００６５】
この係合により、内フレーム３２０内に収納された内枠３０の左側半分が内枠３０内に固定された状態となる。なお、外枠２２に内枠３０を開閉係脱可能に取り付けるために設けられた蝶板に穿設された軸受孔を穿設孔３０ｂとする構成としても良い。また、穿設孔３０ｂ，３０ｄの一方のみを係合ピンとの係合に用い、他方の側は、内枠３０の肩部を収納する枠係止ホルダなどに収納して固定するものとしても良い。枠係止ホルダの形状については、後述する（図１５参照）。
【００６６】
なお、上記の係合を解除する場合には、ハンドル３２２を引き上げればよい。
この場合には、上述した動作と逆向きの動作により、ハンドル３２２の引き上げに伴って、上方昇降杆３５１，下方昇降杆３５２は互いに遠ざかる方向に移動する。この結果、可動板３６１，３６２に固定された係合ピン３２３ａ，３２４ａが、内枠３０に対して後退し、その穿設孔３０ｂ，３０ｇから離脱し、内フレーム３２０に対する内枠３０の係合を解除する。
【００６７】
内フレーム３２０の他方の長辺側（機構部３２３，３２４と離間している方の長辺側）中央付近には、コの字型に切り欠かれた切欠部が形成されており、この切欠部における上端面には、操作部３１５ａ，操作部３１５ａとアーム３１５ｂを介して接続されたゴム製の押圧体３１５ｃ，アーム３１５ｂを回転可能に軸支する軸支部３１５ｄからなるロック機構３１５が設けられている。このロック機構３１５が設けられた位置の近傍の内フレーム３２０の内側面には、二つの受け台３２５の間に、この受け台３２５と同じ高さで受け台３２５よりも長寸の受け台３１１が装着されている。
【００６８】
図１および図８は、操作部３１５ａがニュートラルボジションにある状態を示しており、この状態において押圧体３１５ｃは、内フレーム３２０の上端面よりも上方に位置している。この状態から操作部３１５ａを図１に示す矢印Ｃ方向に倒すと、軸支部３１５ｄに軸支されたアーム３１５ｂが矢印Ｃ方向に回転する。
アーム３１５ｂが約９０度回転して、押圧体３１５ｃが内フレーム３２０の上端面よりも下方の位置に移動すると、軸支部３１５ｄ内のストッパーの作用により、アーム３１５ｂの回転移動は、正方向および逆方向の双方について禁止される。このアーム３１５ｂの回転移動の禁止により、内フレーム３２０内に収納された内枠３０は、受け台３１１と押圧体３１５ｃとの間で挟持され、右側半分が内枠３０内に固定された状態となる。
【００６９】
したがって、上記構成のパチンコ遊技機用治具３１０では、遊技板４０および機構板５０と一体の内枠３０を内フレーム３２０内に収納して、ハンドル３２２を図１に示す矢印Ａ方向に引き、ロック機構３１５の操作部３１５ａを図１の矢印Ｃ方向に約９０度回転することにより、内フレーム３２０内に内枠３０が固定される。以上の操作により、旧機８０の内枠３０は、内フレーム３２０に完全に固定されてる。この固定は、内枠３０の穿設孔３０ｂ，３０ｇの存在する側では、内枠３０に対してその高さ方向（図１矢印Ｂ方向）から係合ピン３２３ａ，３２４ａが進入することにより行なわれ、これと反対側の側部では、内枠３０をその厚み方向（図１矢印Ａ方向）に挟み込むことにより行なわれる。この結果、内枠３０は、異なる２方向からいわば立体的に固定されることになり、その位置決めの精度を高くすることができる。
【００７０】
内枠３０を固定した後に、レバー３１６を図１の矢印Ｄ方向に操作すれば、内フレーム３２０内に固定された状態の内枠３０を１８０度反転することができる。図１では、内フレーム３２０と外フレーム３１２とは特に固定されておらず、レバー３１６はいつでも矢印Ｄ方向に移動できるものとして図示したが、作業中に内フレーム３２０が回転しないように、固定機構を設けることができる。固定機構３７０の一例を図１２に示した。図示するように、この固定機構３７０は、レバー３１６が固定されたロック杆３７１と、ロック杆３７１を内フレーム３２０に沿って移動可能に保持する保持部材３７３、ロック杆３７１を、図示矢印ＢＹ方向に付勢するコイルバネ３７５と、外フレーム３１２側に固定されたロック筒３７７とから構成されている。なお、ロック筒３７７は、レバー３１６が図１矢印Ｄ方向に１８０度回転した場合にも、固定が行なわれるよう、外フレーム３１２の外側２カ所に設けられる。
【００７１】
使用者が、レバー３１６を図１２矢印ＢＺ方向に移動すると、ロック杆３７１の先端は、コイルバネ３７５の付勢に抗して、保持部材３７３の内部に引き込まれる。したがって、ロック杆３７１とロック筒３７７との係合は解除され、使用者は、レバー３１６を持って、内フレーム３２０を自由に回転することができる。図１矢印Ｄ方向に内フレーム３２０を回転し、レバー３１６を内フレーム３２０の反対側に当接させると、ここで固定機構３７０のロック杆３７１は、ロック筒３７７に嵌合し、内フレーム３２０を外フレーム３１２に固定する。図１２に示した構成では、ロック杆３７１は、コイルバネ３７５により常時付勢されており、保持部材３７３から突出しているので、ロック杆３７１の先端をロック筒３７７に嵌合する際には、レバー３１６を矢印ＢＺ方向に一旦移動しなければならないが、ロック筒３７７の外形形状を、斜めにカットしておき、ロック杆３７１の先端が、この傾斜面３７７ａに案内されて、保持部材３７３側に後退するようにしても良い。
【００７２】
この他、固定機構としては、種々の構成が採用可能である。例えば、ロック筒３７７に代えて、図１４に示すように、外フレーム３１２側に、摺動溝３８０ａと案内溝３８０ｂとからなる略「Ｌ」字形の溝３８０を設けた構成とすることもできる。図１４に示した構成でも、レバー３１６は、コイルバネ３７５により、矢印ＢＫ方向に付勢されており、固定状態では、レバー３１６は、摺動溝３８０ａに嵌り込んでいる。この状態では、レバー３１６を、図１矢印Ｄ方向に移動することはできず、内フレーム３２０は外フレーム３１２に固定されている。内フレーム３２０を回転する際には、レバー３１６を摺動溝３８０ａ矢印ＢＬ方向に移動し、案内溝３８０ｂに対応した場所まで移動する。この状態になれば、矢印Ｄ方向にレバー３１６を移動し、溝３８０からレバー３１６を離脱させ、内フレーム３２０を外フレーム３１２に対して自由に回転することができる。
【００７３】
図１２ないし図１４に示した構成によれば、固定機構３７０を用いて、内フレーム３２０を外フレーム３１２に対して、少なくとも二つの位置で固定することができる。したがって、内フレーム３２０に固定した内枠３０に対して作業を行なっている際に、内枠３０が不慮に回転したりすることがなく、あるいはレバー３１６を引っかけて内フレーム３２０が動いてしまうといったことがない。この結果、作業の安定性、安全性を一層高めることができる。
【００７４】
このような構成のパチンコ遊技機用治具３１０を用いた場合の作業の流れを、図７に戻って説明する。寝かせ装置１５０により、パチンコ遊技機用治具３１０の真上であって、パチンコ遊技機用治具３１０の内フレーム３２０に旧機８０が重なる位置まで寝かした後、寝かせ装置１５０を操作して、旧機８０を内フレーム３２０内に落とし込む。なお、旧機８０に衝撃を与えないように、旧機８０を内フレーム３２０内に昇降させる機構を設けても良いし、受け台３２５にラバーなどを貼って、衝撃を吸収するようにしても良い。
【００７５】
このように、第一部品分離工程Ｑ３に送り込まれた内枠３０は、寝かせ装置１５０によってパチンコ遊技機用治具３１０の内フレーム３２０内に収納される。
この後、作業者がパチンコ遊技機用治具３１０を図７（Ｂ）に白抜きの矢印で示す方向に引っ張ると、パチンコ遊技機用治具３１０はレール７２のローラ上を滑りながら引っ張り方向に移動する。従って、パチンコ遊技機用治具３１０を作業領域が十分に確保された位置まで簡単に移動することができる。
【００７６】
この後、作業者は、内枠３０が収納されたパチンコ遊技機用治具３１０のハンドル３２２を図１に示す矢印Ａ方向に引き、ロック機構３１５の操作部３１５ａを図１の矢印Ｃ方向に約９０度回転することにより、内フレーム３２０内に内枠３０を固定する。こうした固定後にレバー３１６を操作したときには、二本のレール７２間において内フレーム３２０が回転する。従って、第一部品分離工程Ｑ３における内枠３０からの機構板５０，遊技板４０の取り外しや、内枠３０からの各種部品３１〜３８の取り外しの際に、内枠３０の表裏を反転させながら効率よく解体作業を行なうことができる。
【００７７】
また、第二部品分離工程Ｑ４領域におけるレール７２上には、上記パチンコ遊技機用治具３１０とほぼ同様の構成を有し遊技板４０に適合した大きさの回転台、上記パチンコ遊技機用治具３１０とほぼ同様の構成を有し機構板５０に適合した大きさの回転台が、それぞれ配置される。従って、第二部品分離工程Ｑ４における機構板５０からの各種部品５１〜５６の取り外しや、遊技板４０からの各種部品４１〜４８の取り外しの際に、機構板５０や遊技板４０の表裏を反転させながら効率よく解体作業を行なうことができる。
【００７８】
このように、第一部品分離工程Ｑ３および第二部品分離工程Ｑ４に、手動で運搬機能を果たすレール７２を設ける構成を採用しているので、旧機８０からの分離に手間がかかる部品がある場合に、かかる部品の分離作業をレール７２上で時間をかけて慎重に行なうことができる。
【００７９】
以上説明したパチンコ遊技機用治具３１０を用いれば、パチンコ遊技機８０の内枠３０を容易に固定して、これを回転し、しかも１８０度回転した位置で固定して、部品を遊技板４０や機構板５０の裏表から取り外す作業を容易に行なうことができる。しかも、このパチンコ遊技機用治具３１０はレール７２上を容易に移動できるので、作業位置を自由に設定することができる。解体という作業は、組み付けと比べると、例えばねじがはずれにくかったり、部品が壊れかけていたり等、慮外の時間がかかることがある。従って、等速で製品を搬送するロールコンベヤでは作業がしにくい場合があるが、本実施例のパチンコ遊技機用治具３１０を用いれば、作業の進行に合わせて自由に作業を進めることができ、好適である。
【００８０】
尚、上記実施例では、内枠３０は、ハンドル３２２を操作して、内枠３０の穿設孔３０ｂ，３０ｄに係合ピン３２３ａ，３２４ａを挿入して係合し、内枠３０の他端をロック機構３１５により固定しているが、図１５に示すように、内枠３０の穿設孔３０ｂ，３０ｄと係合ピン３２３ａ，３２４ａとによる係合を利用しない手法も採用可能である。図１５に示した例では、内フレーム３２０のロック機構３１５とは反対側の２カ所の隅部に、内枠３０が挿入される枠係止ホルダ４００が設けられている。この枠係止ホルダ４００は、内枠３０の幅とほぼ等しい内寸を有する略「コ」の字形をしており、ここに内枠３０を差し込むことで、これを保持する。内枠３０は、枠係止ホルダ４００に一辺を差し込んだ後、他の辺を、上述した実施例と同様に、ロック機構３１５を用いて固定すれば良い。
【００８１】
図１５では、枠係止ホルダ４００は、内枠３０の隅部内側に固定するものとしたが、内枠３０の固定をより確実にするために、図１６に示すように、昇降機構４１０を有するものとしても良い。この場合、内枠３０をはめ込む前に、枠係止ホルダ４００は、外フレーム３１２側方向（図示矢印ＸＯ方向）に移動し、内枠３０が挿入された後、内側方向（図示矢印ＸＩ方向）に移動して、内枠３０を本来の上下方向から締め付けて固定する。尚、枠係止ホルダ４００を昇降する昇降機構４１０は、回転する昇降杆４１２と、この昇降杆４１２の端部に形成されたねじ部と螺合する昇降プレート４１４と、この昇降プレート４１４の動きを内枠３０の上下方向に規制する昇降案内軸４１６等から構成されている。昇降機構４１０の昇降は、図示しないモータなどにより、昇降杆４１２を正転方向または逆転方向に回転することにより行なわれる。尚、枠係止ホルダ４００は、内枠３０の一辺の上下２カ所に設けられていることから、昇降時における枠係止ホルダ４００の移動方向は、合い向き合ったものとなるが、これは、昇降杆４１２の二つの端部に形成されるねじの一方を逆ねじにしておくことにより容易に実現することができる。
【００８２】
次に本発明の第２の実施例について説明する。図１７は、第２実施例としての台車５００の外観を示す斜視図である。図示するように、この台車５００は、第１実施例のパチンコ遊技機用治具３１０と同一のパチンコ遊技機用治具３１０を備え、これを、キャスタ５２１ないし５２４を有する４本の脚部５１１ないし５１４で支えた構造を有する。尚、台車５００の下部は、プレートにより覆われており、脚部５１１ないし５１４は、この内部に固定されている。
【００８３】
かかる台車５００は、パチンコ遊技機用治具３１０をレール７２上を滑らせて搬送する代わりに、キャスタ５２１ないし５２４を利用して、台車毎自由に移動することができる。この結果、更に作業の自由度は向上する。即ち、内枠３０をパチンコ遊技機用治具３１０に固定し、台車５００ごと所望の位置に移動して解体作業を行なうことができる。しかも、台車５００を用いれば、解体作業の途中で問題が生じたような場合、この内枠３０を固定した台車５００をそのままラインの脇によけて他の台車に固定された内枠３０の解体作業を行なうことができるなど、作業の自由度を一層高めることができる。こうした点で極めて有効である。
【００８４】
次に本発明の第３実施例について説明する。第３実施例の作業用台車５００Ａは、第２実施例の台車５００において、パチンコ遊技機用治具３１０の外フレーム３１２にもう一つの回転軸を設け、図１８に示すように、固定した内枠３０ごと、いわゆる仰角を自由に設定できるものとしても良い。図１８に示した例では、パチンコ遊技機用治具３１０は、台車５００Ａの両側部から上方に突きだした左右２本のアーム５５１，５５２により、回転自在に保持されており、しかもこの回転軸には、固定用ハンドル５５５が設けられている。従って、作業者は、パチンコ遊技機用治具３１０を、図示矢印ＦもしくはＥ方向に回転して、作業者に対して所望の角度とした後、固定用ハンドル５５５を締めて、パチンコ遊技機用治具３１０を固定する。その後は、既述した他の実施例同様、パチンコ遊技機用治具３１０に対して内枠３０を回転し、その表面や裏面から、種々の部品を取り外し、解体作業を行なう。
【００８５】
この作業用台車５００Ａによれば、解体の対象となっている内枠３０を、作業者に対して適切な仰角に傾けて作業することができ、しかもその角度で、内枠３０を内フレーム３２０ごと回転して、少なくとも内枠３０の裏表から、解体作業を進めることができるという利点が得られる。尚、実施例で用いた構成では、内フレーム３２０は、１８０度回転したいずれかの位置でしか固定できないが、固定用ハンドルを設けて自由な回転位置で固定できるようにすることは容易である。また、例えば外周に１５度おきにくぼみを有する節度板を内フレーム３２０の回転軸に固定し、この節度板の外周にバネにより押しつけられたレバーを設けて節度機構を構成し、内フレーム３２０を１５度毎に固定する構成を採用することも可能である。この場合には、内フレーム３２０を、１５度おきに自由に固定することができ、また自由に他の角度に変更することができ、作業の自由度を一層高めることができる。
【００８６】
次に、本発明の第４の実施例として、自走式の作業用台車６００について説明する。図１９は、この実施例の作業用台車６００を示す説明図である。図示するように、この作業用台車は、図１８に示した作業用台車５００とほぼ同一の構成を有するが、本体６１０の内部に、バッテリ６１２、ドライバ６１３、主モータ６１４、駆動機構６１６、従モータ６１８、無線装置６２０、制御装置６２２等を備える点で異なる。また、４本の脚部６３１ないし６３４のうちの二つの脚部６３１および６３２の先端には、キャスタに代えて、駆動輪６４１および６４２が設けられており、主モータ６１４の動力を駆動機構６１６を介して受け、作業用台車６００を自走させることができる。他の二本の脚部６３３および６３３の先端にはキャスタ６４３および６４４が設けられている。このキャスタ６４３およひ６４４は、その方向が、従モータ６１８により調整可能となっている。
【００８７】
この作業用台車６００は、外部のコントローラ（例えばパチンコ遊技機製造システム１０全体を管理するコントローラ）からの指示を無線装置６２０を介して受け取り、これを制御装置６２２で解析し、ドライは６１３を介して主モータ６１４および従モータ６１８を駆動して、作業用台車６００を所望の方向に移動する。従って、作業者は、台車を自分の力で移動する必要がなく、例えば寝かせ装置を利用して内枠３０を作業用台車６００に設けられたパチンコ遊技機用治具３１０に取り付けられると、自走して、作業者のところまで到達したり、解体作業が終わって作業者がこれをコントローラに報告すると、自走して次の作業位置まで移動すると言ったことが可能である。尚、作業用台車６００の移動は、この実施例では、コントローラにより指示するものとしたが、床面に、作業用台車６００の移動をガイドするガイド部材（レール、光学的にガイド、あるいは磁気誘導用ガイドなど）を敷設し、作業用台車の搬送を、このガイド部材に沿って行なうものとすることも、作業の安全性を高める上で好適である。
【００８８】
上述した各実施例では、パチンコ遊技機用治具３１０に、モータなどのアクチュエータを搭載し、内フレーム３２０の回転も、このアクチュエータを駆動して行なうことが考えられる。アクチュエータとして、保持用トルクの高いステッピングモータなどを利用すれば、回転した後の停止位置で内フレーム３２０を固定することは容易である。従って、内フレーム３２０を自由な位置で止めることができ、作業性の向上に資することができる。
【００８９】
以上本発明のいくつかの実施例について説明したが、本発明はこれらの実施例に限定されるものではなく、本発明の要旨を逸脱しない範囲内において、種々なる態様で実現できることはもちろんである。例えば、パチンコ遊技機用治具３１０の用途は、パチンコ遊技機の解体に限定されるものではなく、パチンコ遊技機の組立に利用することも可能である。また、内フレームの外フレームに対する回転軸は一軸に限定されるものではなく、直交する二つの軸に対して回転可能とすることもできる。この場合には、内枠の上下を簡単に入れ替えることができ、部品の形状などによっては、組立や解体を容易にすることができる。更に、上記実施例では、内枠を固定するものとしたが、パチンコ遊技機の部材であれば、機構板や遊技板を固定するものとすることもできる。もとより外枠ごと固定するものとしても良い。
【図面の簡単な説明】
【図１】本発明の第１実施例としてのパチンコ遊技機用治具３１０の外観を示す斜視図である。
【図２】本発明の第１実施例であるパチンコ遊技機製造システム１０の概要を示す説明図である。
【図３】収納ラックＰＢ１および収納具ＰＢ３，ＰＢ４，ＰＢ５に収納される新規部品Ｖの一覧を示す説明図である。
【図４】パチンコ遊技機を構成する各種部品の取り付け関係を示す説明図である。
【図５】収納ラックＱＢ１，ＱＢ２および収納具ＱＢ３，ＱＢ４，ＱＢ５に収納される既使用部品Ｍの一覧を示す説明図である。
【図６】解体ラインＱＬにおいて旧機８０から外枠２２が取り外される様子を示す説明図である。
【図７】解体ラインＱＬにおいて、遊技板４０および機構板５０と一体の内枠３０が寝かせ装置１５０からレール７２上のパチンコ遊技機用治具３１０に移される様子を示す説明図である。
【図８】パチンコ遊技機用治具３１０の上面を示す説明図である。
【図９】パチンコ遊技機用治具３１０における軸体３３０Ａ周辺の縦断面を示す説明図である。
【図１０】パチンコ遊技機用治具３１０側面における軸体３３０Ａの装着部の様子を示す説明図である。
【図１１】係合ピン３２３ａ，３２４ａを移動する機構の概要を示す斜視図である。
【図１２】内フレーム３２０を固定する固定機構３７０の一例を示す斜視図である。
【図１３】同じく固定機構３７０の変形例を示す説明図である。
【図１４】同じく固定機構３７０の他の実施例を示す説明図である。
【図１５】第１実施例の第１の変形例を示す説明図である。
【図１６】第１実施例の第２の変形例を示す説明図である。
【図１７】本発明の第２の実施例としての作業用台車５００を示す説明図である。
【図１８】本発明の第３の実施例としての作業用台車５００Ａを示す説明図である。
【図１９】本発明の第４の実施例としての作業用台車６００を示す説明図である。
【符号の説明】
１０…パチンコ遊技機製造システム
２２…外枠
３０…内枠
３０ｂ，３０ｄ，３０ｇ…穿設孔
３１，４５…表示ランプ
３１…表示ランプ
３２…ガラス扉
３３…装飾板
３４…上皿
３５…下皿
３６…発射ハンドル
３７…打球発射回路基板
３８…発射モータ
４０…遊技板
４１…誘導レール
４２…障害釘
４３…風車
４４…入賞口
４５…表示ランプ
４６…球誘導ユニット
４７…入賞検出手段
４８…図柄表示装置
５０…機構板
５１…発射レール
５２…球タンク
５３…タンクレール
５４…入出力基板
５５…制御回路ボックス
５６…払出し装置
７０…ローラコンベヤ
７０ａ１…コンベヤ
７０ａ２…コンベヤ
７２…レール
７６…検査ボード
７８…作業台
８０…パチンコ遊技機（旧機）
９０…ローラコンベヤ
１５０…寝かせ装置
１５１…本体
１５５…昇降アーム部
２４１…台座
２４２…誘導レール
２４３…押圧装置
３１０…パチンコ遊技機用治具（固定用治具）
３１１…受け台
３１２…外フレーム
３１３…凹所
３１４Ｌ，３１４Ｒ…切欠部
３１５…ロック機構
３１５ａ…操作部
３１５ｂ…アーム
３１５ｃ…押圧体
３１５ｄ…軸支部
３１６…レバー
３２０…内フレーム
３２１…貫通孔
３２２…ハンドル
３２３，３２４…機構部
３２３ａ，３２４ａ…係合ピン
３２５…受け台
３２６，３２７…プレート
３２８…皿ばね
３３０Ａ，３３０Ｂ…軸体
３３１…ベアリング
３３２…プレート
３３３…座金
３３４…ナット
３４１，３４２…クランク機構
３４３…連携軸
３４５ａ〜３４５ｄ…ねじ
３４６…上方連携軸
３４７…下方連携軸
３５０…支持ガイド
３５１…上方昇降杆
３５２…下方昇降杆
３６１，３６２…可動板
３７１…ロック杆
３７３…保持部材
３７５…コイルバネ
３７７…ロック筒
３８０…溝
３８０ａ…摺動溝
３８０ｂ…案内溝
４００…枠係止ホルダ
４１０…昇降機構
４１２…昇降杆
４１４…昇降プレート
４１６…昇降案内軸
５００…作業用台車
５００Ａ…作業用台車
５１１〜５１４…脚部
５２１〜５２４…キャスタ
５５１，５５２…アーム
５５５…固定用ハンドル
６００…作業用台車
６１０…本体
６１２…バッテリ
６１３…バッテリ
６１４…主モータ
６１６…駆動機構
６１８…従モータ
６２０…無線装置
６２２…制御装置
６３１〜６３４…脚部
６４１，６４２…駆動輪
６４３，６４４…キャスタ
【図１】
0004580098.tif 000002
【図２】
0004580098.tif 000003
【図３】
0004580098.tif 000004
【図４】
0004580098.tif 000005
【図５】
0004580098.tif 000006
【図６】
0004580098.tif 000007
【図７】
0004580098.tif 000008
【図８】
0004580098.tif 000009
【図９】
0004580098.tif 000010
【図１０】
0004580098.tif 000011
【図１１】
0004580098.tif 000012
【図１２】
0004580098.tif 000013
【図１３】
0004580098.tif 000014
【図１４】
0004580098.tif 000015
【図１５】
0004580098.tif 000016
【図１６】
0004580098.tif 000017
【図１７】
0004580098.tif 000018
【図１８】
0004580098.tif 000019
【図１９】
0004580098.tif 000020